(57)【特許請求の範囲】
【請求項１】
移動端末が移動体通信会社サーバに認証コードを伝送する認証システムにおいて、
前記認証コードを記憶し、第１通信方式を利用して前記移動端末に前記認証コードを伝送するタグ、及び
前記第１通信方式と実質的に同じ周波数帯域を使う第２通信方式を利用して前記認証コードを受信して、受信した認証コードを所定の第３通信方式を介して前記移動体通信会社サーバに伝送して、前記移動体通信会社サーバの認証によって使用が可能となる前記移動端末を含み、
前記認証コードは、前記移動端末を使用するための認証コードであり、ユーザの意志と関係なく設定されることを特徴とする、認証システム。
【請求項２】
前記タグは、
前記認証コードを記憶するための第１記憶部、及び
前記移動端末に前記第１通信方式で前記認証コードを伝送するための第１通信部を含むことを特徴とする、請求項１に記載の認証システム。
【請求項３】
前記移動端末は、
前記第２通信方式で前記認証コードを受信するための第２通信部、及び
前記第２通信部が受信した前記認証コードを前記移動体通信会社サーバに伝送するように制御する制御部を含むことを特徴とする、請求項１又は２に記載の認証システム。
【請求項４】
前記移動端末は、
認証のためのアプリケーションを記憶するための第２記憶部を更に含み、
前記制御部は、前記アプリケーションを駆動して、ユーザに、前記タグを前記移動端末に接近させるように案内することを特徴とする、請求項３に記載の認証システム。
【請求項５】
前記移動端末は、
前記制御部の制御によって、前記移動体通信会社サーバに前記第３通信方式で前記認証コードを伝送する第３通信部を更に含むことを特徴とする、請求項３又は４に記載の認証システム。
【請求項６】
認証コードを記憶しているタグから前記認証コードを受信して、移動体通信会社サーバに伝送する、移動端末の認証装置において、
前記認証コードを前記タグから受信する通信部、及び
前記通信部が、受信した前記認証コードを前記移動体通信会社サーバに、所定のネットワークを介して伝送するように制御する制御部を含み、
前記認証コードは、前記移動端末を使用するための認証コードであり、ユーザの意志と関係なく設定され、前記移動体通信会社サーバの認証によって前記移動端末の使用が可能となることを特徴とする、認証装置。
【請求項７】
前記認証コードの受信を案内するためのアプリケーションを記憶するための記憶部を更に含むことを特徴とする、請求項６に記載の認証装置。
【請求項８】
前記制御部は、
前記アプリケーションを駆動して、ユーザに、前記タグを接近させるように案内することを特徴とする、請求項７に記載の認証装置。
【請求項９】
前記タグの通信方式と、前記通信部の通信方式とが実質的に同一であることを特徴とする、請求項６乃至８のうちいずれか一項に記載の認証装置。
【請求項１０】
前記タグの通信方式と前記通信部の通信方式とが異なり、前記タグの通信方式と前記通信部の通信方式とは実質的に同じ周波数帯域の周波数を使用することを特徴とする、請求項６乃至８のうちいずれか一項に記載の認証装置。
【請求項１１】
移動端末が、第１通信方式を使うタグから、前記第１通信方式と実質的に同じ周波数帯域を使う第２通信方式を利用して認証コードを受信するステップ、
前記移動端末が、前記認証コードの認証のために移動体通信会社サーバに前記認証コードを伝送するステップ、及び
前記移動端末が、前記移動体通信会社サーバの認証によって前記移動端末の使用が可能となったことをユーザに知らせるステップを含み、
前記認証コードは、前記移動端末を使用するための認証コードであり、ユーザの意志と関係なく設定されることを特徴とする、認証方法。
【請求項１２】
前記第１通信方式は無線周波識別（ＲＦＩＤ）方式であり、前記第２通信方式は近距離通信（ＮＦＣ）方式であることを特徴とする、請求項１１に記載の認証方法。
【発明の詳細な説明】
【技術分野】
【０００１】
本発明は、認証システム及び方法に関し、より詳細には移動端末を認証するために使われる認証システム及び方法に関するものである。
【背景技術】
【０００２】
一般に、ユーザが移動端末を新しく開通させるためには、認証過程を経なければならない。
【０００３】
図１は、従来の移動端末の認証過程を説明するための例示図である。ユーザが新しい移動端末１００に電源を印加すると、中継器２００は移動端末１００から信号を受信するが、このとき、中継器２００は該当移動端末１００が認証を必要とする移動端末であることを認知する。
【０００４】
ユーザ（又は販売者）が、この状態で移動端末１００に個人識別番号（Ｐｅｒｓｏｎａｌ  Ｉｄｅｎｔｉｆｉｃａｔｉｏｎ  Ｎｕｍｂｅｒ、ＰＩＮ）を入力すると、中継器２００はこれを移動体通信会社サーバ３００に伝送し、該当移動端末１００に対する認証を行うようになり、このような認証過程を経た後、移動端末１００は移動体通信会社サーバ３００が提供するサービスを受信できる。
【０００５】
しかし、このような認証過程は、ユーザが移動端末販売代理店の介入なしに、ユーザが直接行い辛い問題点がある。したがって、移動端末は購入して認証した後に使えるようになるため、購入後使用までの時間が長びく問題点がある。
【発明の概要】
【発明が解決しようとする課題】
【０００６】
本発明が解決しようとする技術的課題は、ユーザが移動端末の購入時、直ちに認証を行えるようにする認証システム及び方法を提供することである。
【課題を解決するための手段】
【０００７】
上記のような技術的課題を達成するため、移動端末が移動体通信会社サーバに認証コードを伝送する本発明の認証システムは、上記認証コードを記憶し、第１通信方式を利用して上記移動端末に上記認証コードを伝送するためのタグ、及び上記第１通信方式と実質的に同じ周波数帯域を使う第２通信方式を利用して上記認証コードを受信し、受信した認証コードを所定の第３通信方式を介して上記移動体通信会社サーバに伝送する上記移動端末を含む。
【０００８】
本発明の一実施形態において、上記タグは、上記認証コードを記憶する第１記憶部、及び上記移動端末に上記第１通信方式で上記認証コードを伝送するための第１通信部を含むことが好ましい。
【０００９】
本発明の一実施形態において、上記移動端末は、上記第２通信方式で上記認証コードを受信する第２通信部、及び上記第２通信部が受信した上記認証コードを上記移動体通信会社サーバに伝送するように制御する制御部を含むことが好ましい。
【００１０】
本発明の一実施形態において、上記移動端末は、認証のためのアプリケーションを記憶するための第２記憶部を更に含み、上記制御部は、上記アプリケーションを駆動して、ユーザに、上記タグを上記移動端末に接近させるように案内することが好ましい。
【００１１】
本発明の一実施形態において、上記移動端末は、上記制御部の制御によって、上記移動体通信会社サーバに上記第３通信方式で上記認証コードを伝送する第３通信部を更に含むことが好ましい。
【００１２】
また、上記のような技術的課題を行うために、認証コードを記憶しているタグから上記認証コードを受信して、移動体通信会社サーバに伝送する、本発明の認証装置は、上記認証コードを上記タグから受信する通信部、及び上記通信部が受信した上記認証コードを上記移動体通信会社サーバに所定のネットワークを介して伝送するように制御する制御部を含む。
【００１３】
本発明の一実施形態において、上記認証コードの受信を案内するためのアプリケーションを記憶する記憶部を更に含むことが好ましい。
【００１４】
本発明の一実施形態において、上記制御部は、上記アプリケーションを駆動して、ユーザに、上記タグを接近させるように案内することが好ましい。
【００１５】
本発明の一実施形態において、上記タグの通信方式と、上記通信部の通信方式とが実質的に同じことが好ましい。
【００１６】
本発明の一実施形態において、上記タグの通信方式と、上記通信部の通信方式とが異なり、上記タグの通信方式と上記通信部の通信方式とは実質的に同じ周波数帯域の周波数を使用することが好ましい。
【００１７】
また、上記のような技術的課題を解決するために、本発明の認証方法は、第１通信方式を使うタグから、上記第１通信方式と実質的に同じ周波数帯域を使う第２通信方式を利用して認証コードを受信するステップ、及び上記認証コードを移動体通信会社サーバに伝送して認証を行うステップを含む。
【００１８】
本発明の一実施形態において、上記第１通信方式は、無線周波識別（ＲＦＩＤ）方式で、上記第２通信方式は近距離通信（ＮＦＣ）方式であることが好ましい。
【発明の効果】
【００１９】
本発明は、ＲＦＩＤタグに記憶される認証コードをＮＦＣアプリケーションを活性化して受信することによって、簡単に移動端末の認証が行われるようにする。これによって販売者によって進められた移動端末の認証を購買者が個別にすることで、ユーザの便宜が図られ、一つの移動端末に対し一つの認証のためＲＦＩＤタグを発給するため、移動端末の紛失又は盗難時に直ちに対応できる。
【図面の簡単な説明】
【００２０】
【図１】従来の移動端末の認証過程を説明するための例示図である。
【図２】本発明に係る認証システムの一実施形態構成図である。
【図３】図２のＲＦＩＤタグの一実施形態詳細構成図である。
【図４】図２の移動端末に備えられる本発明に係る認証装置の一実施形態詳細構造図である。
【図５Ａ】本発明に係る認証システムの認証過程を説明するための一例示図である。
【図５Ｂ】本発明に係る認証システムの認証過程を説明するための一例示図である。
【図５Ｃ】本発明に係る認証システムの認証過程を説明するための一例示図である。
【図５Ｄ】本発明に係る認証システムの認証過程を説明するための一例示図である。
【図５Ｅ】本発明に係る認証システムの認証過程を説明するための一例示図である。
【図６】本発明に係る認証方法を説明するための一実施形態フローチャートである。
【発明を実施するための形態】
【００２１】
本発明は、多様な変更を加えられて多様な実施形態を有し、特定実施形態を図面に例示して詳細に説明する。
【００２２】
しかし、これは本発明を特定の実施形態に対して限定するものではなく、本発明の思想及び技術範囲に含まれるすべての変更、均等物乃至代替物を含むと理解しなければならない。
【００２３】
第１、第２、等の序数を含む用語は、多様な構成要素を説明するのに使われるが、上記構成要素は上記用語によって限定されない。
【００２４】
上記用語は、一つの構成要素を他の構成要素から区別する目的だけに使われる。例えば、本発明の権利範囲を逸脱しないで第２構成要素は第１構成要素に命名され、同様に第１構成要素も第２構成要素と命名される。
【００２５】
ある構成要素が異なる構成要素に「連結して」いるとか「接続されて」いると言及される際には、その他の構成要素に直接的に連結しているか、又は接続されていることもあるが、中間に他の構成要素が存在することもあるものと理解しなければならない。一方、ある構成要素が異なる構成要素に「直接連結して」いるとか「直接接続されて」いると言及された時には、中間に他の構成要素が存在しないことと理解しなければならない。
【００２６】
本願で使った用語は、単に特定の実施形態を説明するために使われたもので、本発明を限定する意図はない。単数の表現は文脈上明白に異なるように意味しない限り、複数の表現を含む。
【００２７】
本願において、「含む」又は「有する」等の用語は、明細書上に記載された特徴、数字、ステップ、動作、構成要素、部品又はこれらを組み合わせたものが存在することを指定することであって、一つ又はそれ以上の他の特徴や数字、ステップ、動作、構成要素、部品又はこれらを組み合わせのもの等の存在又は付加の可能性を予め排除しないことと理解しなければならない。
【００２８】
また、本願の添付図面は説明の便宜のために、拡大又は縮小して示されたものと理解しなければならない。
【００２９】
本発明は、高周波（Ｈｉｇｈ  Ｆｒｅｑｕｅｎｃｙ、ＨＦ）帯域の無線周波識別（Ｒａｄｉｏ  Ｆｒｅｑｕｅｎｃｙ  ＩＤｅｎｔｉｆｉｃａｔｉｏｎ、以下、「ＲＦＩＤ」という）及び近距離通信（Ｎｅａｒ  Ｆｉｅｌｄ  Ｃｏｍｍｕｎｉｃａｔｉｏｎ、以下、「ＮＦＣ」という）の周波数帯域が同一であることを利用したもので、本発明の説明ではＲＦＩＤ及びＮＦＣの場合を挙げて説明するが、同じ帯域の周波数を使用する他の通信方式の使用を排除するものではないことは、本発明が属する技術分野において通常の知識を有する者には自明である。また、同じ帯域の周波数を使用する他の通信方式だけでなく、同じ通信方式によって本発明の認証を行うことも排除するものではないことは自明である。
【００３０】
本発明について図面を参照して詳細に説明し、図面符号に関係なく同一又は対応する構成要素は同じ参照番号を付してこれに関する重複説明は省略する。
【００３１】
図２は、本発明に係る認証システムの一実施形態構成図である。
【００３２】
図面に示したように、本発明の認証システムは、移動端末１０と、ＲＦＩＤタグ（ｔａｇ）２０とを含んで構成される。
【００３３】
一般に、ユーザが移動端末１０を購入する場合、移動端末１０と共に本発明のＲＦＩＤタグ２０がユーザに提供される。
【００３４】
本発明の移動端末１０は、携帯電話、スマートフォン（ｓｍａｒｔ  ｐｈｏｎｅ）、タブレットコンピュータ（ｔａｂｌｅｔ  ｃｏｍｐｕｔｅｒ）、デジタル放送用端末、個人用携帯端末（Ｐｅｒｓｏｎａｌ  Ｄｉｇｉｔａｌ  Ａｓｓｉｓｔａｎｔｓ、ＰＤＡ）、携帯用マルチメディアプレーヤ（Ｐｏｒｔａｂｌｅ  Ｍｕｌｔｉｍｅｄｉａ  Ｐｌａｙｅｒ、ＰＭＰ）等が含まれるもので、一般にサーバとの通信のために認証が必要な携帯用端末を称する。本発明の移動端末１０は、ＮＦＣ通信ができるように、ＮＦＣ通信部を備えている。これに関しては、図面を参照して追って詳細に説明する。
【００３５】
図３は、図２のＲＦＩＤタグの一実施形態詳細構成図である。
【００３６】
図面に示したように、本発明のＲＦＩＤタグ２０は、ＲＦＩＤ通信部２１及び記憶部２２を含む。ただ、本発明の動作と関連する構成要素だけを示して説明し、一般にＲＦＩＤタグに使われる他の構成要素に関しては、本発明が属する技術分野において通常の知識を有する者には自明であるため、そのような詳細な説明は省略する。
【００３７】
本発明のＲＦＩＤ通信部２１は、ＨＦ帯域のＲＦＩＤ通信を行う。本発明のＨＦ帯域ＲＦＩＤ通信部２１は、普通１３．５６ＭＨｚ帯域の周波数を利用して通信を行う。本発明のＲＦＩＤ通信部２１は、移動端末１０から認証のためのデータの要求がある場合、ＲＦＩＤ方式で移動端末１０にデータを伝送する。
【００３８】
記憶部２２は、移動端末１０の認証のための認証コードを記憶する。移動端末１０の生産時、生産者は該当認証コードをＲＦＩＤタグ２０の記憶部２２に記憶できる。
【００３９】
図４は、図２の移動端末に備えられる本発明に係る認証装置の一実施形態詳細構造図で、移動端末１０に備えられるものである。
【００４０】
図面に示したように本発明の認証装置は、ＮＦＣ通信部１１、制御部１２及び記憶部１３を含む。本発明の認証装置は、移動端末１０に備えられるもので、特に図４の構成要素について認証装置と称し、移動端末１０のその他の構成に関しては本発明が属する技術分野において通常の知識を有する者には自明であるため、それに関する説明は省略する。
【００４１】
一般にＮＦＣとは、１３．５６ＭＨｚ周波数帯域を使う非接触式近距離無線通信方式で、１０ｃｍ程度の距離で、低電力で端末間両方向にデータを送信できる技術をいう。
【００４２】
したがって、本発明のＮＦＣ通信部１１は、ＮＦＣ周波数帯域の信号を送受信する。即ち、具体的には制御部１２の制御によってＲＦＩＤタグ２０からＮＦＣ通信方式を利用して記憶部２２に記憶されている認証コードを受信する。
【００４３】
制御部１２は、本発明の認証過程を全般的に制御する。本発明の動作のために、制御部１２は、記憶部１３に認証のためのＮＦＣアプリケーション（ａｐｐｌｉｃａｔｉｏｎ）を記憶するようにできる。
【００４４】
ユーザが移動端末１０の認証を望む場合、制御部１２は記憶部１３に記憶されているＮＦＣアプリケーションを活性化する。ＮＦＣアプリケーションの活性化によって、制御部１２はＮＦＣ通信部１１を制御して、ＲＦＩＤ通信部２１と通信を行うようにし、ＲＦＩＤタグ２０の記憶部２２に記憶された認証コードを受信する。
【００４５】
以後、制御部１２は、受信した認証コードを図１に示したような移動体通信会社サーバ３００に伝送して、移動体通信会社サーバ３００が該当移動端末１０の認証を行い、移動端末１０は移動体通信会社サーバ３００が提供する移動体通信サービスを利用できるようになる。
【００４６】
この時、移動端末１０は、受信した認証コードを移動体通信会社サーバ３００に伝送するために、所定ネットワーク（例えば、符号分割多元接続（Ｃｏｄｅ  Ｄｉｖｉｓｉｏｎ  Ｍｕｌｔｉｐｌｅ  Ａｃｃｅｓｓ、ＣＤＭＡ））ネットワークを使用でき、このために所定ネットワークで通信するための通信部（図示せず）を更に含んでも良い。
【００４７】
図５Ａ乃至図５Ｅは、本発明に係る認証システムの認証過程を説明するための一例示図である。
【００４８】
図５Ａに示したように、ユーザが移動端末１０を購入して電源を印加すると、制御部１２は該当移動端末１０が認証を必要とすることを移動端末１０の表示部を介してユーザに知らせて、認証のために、ＮＦＣアプリケーションを活性化することをユーザに知らせる。
【００４９】
以後、図５Ｂのように、ユーザがメニューにおいてＮＦＣアプリケーションを活性化する。図５Ｂでチェック印は、ユーザがポインティング装置（例えば、ユーザの指）を利用して、該当ＮＦＣアプリケーションを選択したことを示す。ＮＦＣアプリケーションが活性化されたことは、ＮＦＣ方式でデータを受信できるように該当通信部が活性化したことを意味することは、本発明が属する技術分野において通常の知識を有する者には自明である。
【００５０】
以後、図５Ｃのように、認証のために、ＮＦＣアプリケーションは同封されたＲＦＩＤタグ２０を接近させることをユーザに求める。ただし、これは認証のための例示であり、ＮＦＣアプリケーションが認証だけのために使われるものではないことは自明である。
【００５１】
即ち、図５Ｃのようなユーザインタフェース（Ｕｓｅｒ  Ｉｎｔｅｒｆａｃｅ、ＵＩ）は、該当移動端末１０の認証が完了しない場合にだけ具現され、又は認証だけのためのＮＦＣアプリケーションが別途に備えられて図５ＣのようなＵＩを提供することも可能である。
【００５２】
以後、ユーザが図５ＤのようにＲＦＩＤタグ２０を移動端末１０に接近させると、移動端末１０の制御部１２は、ＲＦＩＤタグ２０の記憶部２２に記憶された認証コードを、ＲＦＩＤ通信部２１及び移動端末１０のＮＦＣ通信部１１を介して受信し、制御部１２はこれを図示していない通信部を介して、移動体通信会社サーバ３００に伝送して、該当移動端末１０の認証を行うようにできる。
【００５３】
このような認証が完了すると、図５ＥのようなＵＩを提供して、認証が完了したことをユーザに知らせられる。ユーザは、以後、移動体通信サービスの使用が可能となる。
【００５４】
図６は、本発明に係る認証方法を説明するための一実施形態フローチャートである。
【００５５】
図面に示したように、本発明の認証方法は、移動端末１０の購入後、認証が求められる場合（Ｓ６１）、ユーザがＮＦＣアプリケーションを活性化すると（Ｓ６２）、図５Ｃのように同封されたＲＦＩＤタグ２０を接近させるように案内できる。
【００５６】
ユーザがＲＦＩＤタグ２０を移動端末１０に接近させると（Ｓ６３）、制御部１２は、ＲＦＩＤタグ２０の記憶部２２に記憶された認証コードをＲＦＩＤ通信部２１及びＮＦＣ通信部１１を介して受信する（Ｓ６４）。
【００５７】
以後、該当認証コードを図示していない通信部を介して移動体通信会社サーバ３００に伝送して、該当移動端末の認証を行うようにし（Ｓ６５）、認証が完了した場合、認証が完了したことを移動端末１０の表示部に表示することができる（Ｓ６６）。
【００５８】
本発明は、ＨＦ帯域のＲＦＩＤ及びＮＦＣの周波数帯域が同じであることを利用したもので、本発明の説明ではＲＦＩＤ及びＮＦＣの場合を挙げて説明したが、同じ帯域の周波数を使用する他の通信方式の使用を排除しないことは、既述した通りである。
【００５９】
以上、代表的な実施形態を参照して本発明について詳細に説明したが、本発明が属する技術分野において通常の知識を有する者は、前述した実施形態に対して本発明の範疇から逸脱しない限り多様な変形ができることを理解できる。したがって、本発明の権利範囲は説明された実施形態に限定されて決まってはならず、後述する特許請求の範囲だけでなくこの特許請求の範囲と均等なもの等によって決めなければならない。
【符号の説明】
【００６０】
１０    移動端末
１１    ＮＦＣ通信部
１２    制御部
１３    記憶部
２０    ＲＦＩＤタグ
２１    ＲＦＩＤ通信部
２２    記憶部
１００    移動端末
２００    中継器
３００    移動体通信会社サーバ
【図１】
0005385419.tif 000002
【図２】
0005385419.tif 000003
【図３】
0005385419.tif 000004
【図４】
0005385419.tif 000005
【図５Ａ】
0005385419.tif 000006
【図５Ｂ】
0005385419.tif 000007
【図５Ｃ】
0005385419.tif 000008
【図５Ｄ】
0005385419.tif 000009
【図５Ｅ】
0005385419.tif 000010
【図６】
0005385419.tif 000011